(57)【要約】      （修正有）【課題】ロール紙を引っ張りだして簡単に切取り出来るロールカットホルダーを提供する。【解決手段】ホルダー本体１両内側にスライド溝を設け、スライドカッター２がロール紙の大きさに対して斜め右下に移動することより、ロール紙の使い始めからロール紙が小径になるまで、つかみ代を設け、ロール紙をスムーズにカットして使用する。【選択図】図１
2017104473.tif 000002
【特許請求の範囲】
【請求項１】
ロール紙（主にトイレ用）のつかみ代（三角折り等無し）を設け、ロール紙を引っ張りだして簡単に切取り出来るロールカットホルダーである。
【発明の詳細な説明】
【技術分野】
【０００１】本発明は、ロール紙を引っ張り出す時につかみ代を設けスムーズにロールカットするホルダーです。
【発明の概要】
【発明が解決しようとする課題】
【０００２】ロール紙を引っ張り出そうとしてもつかみ代がない為、取出してカットすることがが出来ない。又（三角折り等）つかみ代があっても上蓋のカット面で上手に切れなくロール引っ張られて出てきてうまくカット出来ない為、上蓋をあけ手でちぎって使用しているのが現状です。
【課題を解決するための手段】
【０００３】ホルダーの本体前面部にスライドカッターを設けることより、ロール紙大径から小径までつかみ代を設けスムーズにカットして使用することが出来る。
【発明の効果】
【０００４】ロールにつかみ代が有り、カット時にはスライドカッター切取り面に若干の勾配を付け、又、ロール押え（滑り止め）が有りロールが引っ張り出てくることなくカットしやすくなっている。
【図面の簡単な説明】
【０００５】
【図１】図（１）ホルダー本体部に爪を付け、前からスライドカッターを取付ける。
【発明を実施するための形態】
【０００６】ホルダー本体（符号１）に爪２個（符号３）を付け、スライドカッター（符号２）を本体内側のスライド溝に前から差込み取付ける。
【産業上の利用可能性】
【０００７】ホルダー本体の内側にスライド溝を設けスライドカッターが斜め右下へ移動するので最大から最小（市販品φ１００から４０ｍｍ）までカットすることが出来る。又、スライドカッター上部右側にロール押え（ロール滑り止め）が有り、カット時にはロールが引っ張り出てくることがなくカットが出来る。又、三角折り等の手間も省け、単純構造で部品点数も少なく市販ホルダーと同価格程度で製作出来る。
【符号の説明】
【０００８】符号１ホルダー本体、符号２スライドカッター、符号３爪（ロール受け）。
【図１】
2017104473.tif 000003
【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
トイレ用のロール紙につかみ代を設け、ロール端を指で摘んで使用する分だけ下に引っ張りだし斜め右上へカットするホルダーである。
【手続補正２】
【補正対象書類名】明細書
【補正対象項目名】全文
【補正方法】変更
【補正の内容】
【発明の詳細な説明】
【技術分野】
【０００１】本発明は、ロール紙を引っ張り出す時につかみ代を設けスムーズにカットするホルダーです。
【発明の概要】
【発明が解決しようとする課題】
【０００２】ロール紙を引っ張り出そうとしても指で摘むつかみ代がない為、取出してカットすることが出来ない。又、三角折り等つかみ代があってもセット時ロール径と使用後のロール径が変わるので上蓋のカット面の位置もロール径により変わり、上手に切れなくロールが引っ張られて出てきてうまくカットして使用することが出来ない。
【課題を解決するための手段】
【０００３】ホルダー本体前面部にスベリ止め付きスライドカッターを設け、スライドカッターホルダー本体の両内側のスライド溝に沿ってロール大径から小径まで一定方向に移動する。又、ロール押え部も同様に移動する為、スライドカッターの下側のロール端つかみ代部を指で摘んで下へ引っ張り出し、カット時にロールがスベリ出てくることなく斜め右上へスムーズにロールカット出来る。
【発明の効果】
【０００４】ロール端を指で摘むつかみ代が有り、カット時にはスベリ止め付きスライドカッターの切取り面に若干の勾配を付け、又、スベリ止め付きスライドカッターにロール押えが有り、カット時にロールが引っ張り出てくることなくロールカットしやすくなっている。
【図面の簡単な説明】
【０００５】
【図１】ホルダー本体、スベリ止め付きスライドカッター、ロール受け爪で構成しています。
【発明を実施するための形態】
【０００６】ホルダー本体（符号１）に爪２個（符号３）を付け、スベリ止め付きスライドカッター（符号２）をホルダー本体内側のスライド溝に前から差込み取付ける。
【産業上の利用可能性】
【０００７】ホルダー本体の内側にスライド溝を設けスベリ止め付きスライドカッターが斜め右下へ移動するので、市販品ロール大径から使用後の小径までスムーズカットすることが出来る。又、スベリ止め付きスライドカッター上部左右側にロール押えが有り、カット時にはロールが引っ張り出てくることがなくロールカットが出来る。又、三角折り等の手間も省け、単純構造で部品点数も少なく市販ロールホルダーと同価格程度で製作出来る。
【符号の説明】
【０００８】符号１ホルダー本体、符号２スベリ止め付きスライドカッター、符号３ロール受け爪。
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
ホルダー本体と、ホルダー本体に付設された爪と、スベリ止め付きスライドカッターとからなるロールカットホルダーであって、
前記スライドカッターはホルダー本体のスライド溝に摺動可能に保持され、
前記スライドカッターのスベリ止め部はロールの中心軸より上部のロール周面で接触し、前記スライドカッターはロールの中心軸と同じ高さのロール周面と接触し、鉛直下方に延伸した下端を勾配のあるロールカット面として構成して、
トイレ用のロール紙につかみ代を設け、ロール端を指で摘んで使用する分だけ下に引っ張りだしカットするロールカットホルダー。
【手続補正２】
【補正対象書類名】明細書
【補正対象項目名】全文
【補正方法】変更
【補正の内容】
【発明の詳細な説明】
【技術分野】
【０００１】  本発明は、ロール紙を引っ張り出す時につかみ代を設けスムーズにカットするホルダーです。
【発明の概要】
【発明が解決しようとする課題】
【０００２】ロール紙を引っ張り出そうとしても指で摘むつかみ代がない為、取出してカットすることが出来ない。又、三角折り等つかみ代があってもセット時ロール径と使用後のロール径が変わるので上蓋のカット面の位置もロール径により変わり、上手に切れなくロールが引っ張られて出てきてうまくカットして使用することが出来ない。
【課題を解決するための手段】
【０００３】ロールカットホルダーは、ホルダー本体と、ホルダー本体に付設された爪と、スベリ止め付きスライドカッターとからなる。ホルダー本体前面部にスベリ止め付きスライドカッターを設け、スライドカッターはホルダー本体のスライド溝に摺動可能に保持することで、ホルダー本体の両内側のスライド溝に沿ってロール大径から小径まで一定方向に移動する。又、スライドカッターのスベリ止め部はロールの中心軸より上部のロール周面で接触し、同様に移動する。スライドカッターはロールの中心軸と同じ高さのロール周面と接触し、鉛直下方に延伸した下端を勾配のおるロールカット面として構成して、ロールペーパーはスライドカッターの下側のロール端つかみ代部を指で摘んで下へ引っ張り出し、カット時にロールがスベリ出てくることなくスムーズにロールカット出来る。
【発明の効果】
【０００４】ロール端を指で摘むつかみ代が有り、カット時にはスベリ止め付きスライドカッターの切取り面に若干の勾配を付け、又、スライドカッターにスベリ止めが有り、カット時にロールが引っ張り出てくることなくロールカットしやすくなっている。
【図面の簡単な説明】
【０００５】
【図１】ホルダー本体、スベリ止め付きスライドカッター、ロール受け爪で構成しています。
【発明を実施するための形態】
【０００６】  ホルダー本体（符号１）に爪２個（符号３）を付け、スベリ止め付きスライドカッター（符号２）をホルダー本体内側のスライド溝に前から差込み取付ける。
【０００７】ホルダー本体の内側にスライド溝を設けスベリ止め付きスライドカッターが斜め右下へ移動するので、市販品ロール大径から使用後の小径までスムーズカットすることが出来る。又、スベリ止め付きスライドカッター上部左右側にスベリ止めが有り、カット時にはロールが引っ張り出てくることがなくロールカットが出来る。又、三角折り等の手間も省け、単純構造で部品点数も少なく市販ロールホルダーと同価格程度で製作出来る。
【符号の説明】
【０００８】符号１  ホルダー本体、
符号２  スベリ止め付きスライドカッター、
符号３  ロール受け爪。